(57)【要約】【課題】  従来のＬＥＤモジュール搭載の照明器具は、ＬＥＤモジュールを着脱自在に保持するとしているが、ＬＥＤモジュールは、円形板状であり、この円形板状のＬＥＤモジュールを回動して着脱するものである。そこで、矩形状のＬＥＤモジュールの場合にはこの着脱方法は利用できない。【解決手段】  本発明の照明器具は、基板３ａにＬＥＤ素子３ｂを実装したＬＥＤモジュール３と、照明器具本体１に設けられたＬＥＤモジュールの載置部５ａと、照明器具本体１に設けられ、ＬＥＤモジュールの載置部５ａに載置されたＬＥＤモジュール３の基板３ａの端部をスライド移動し覆うことにより固定し、また、スライド移動し解放する基板固定部７と、照明器具本体１に設けられ、基板固定部７がスライド移動する基板固定部載置部５ｂとを備えた。【選択図】図１
2006286310.tif 000002
【特許請求の範囲】
【請求項１】
基板にＬＥＤ素子を実装したＬＥＤモジュールと、
照明器具本体に設けられたＬＥＤモジュールの載置部と、
前記照明器具本体に設けられ、前記ＬＥＤモジュールの載置部に載置されたＬＥＤモジュールの基板の端部を、スライド移動し覆うことにより固定しまたスライド移動し解放する基板固定部と、
前記照明器具本体に設けられ、前記基板固定部をスライド移動可能に保持する基板固定部載置部と、
を備えたことを特徴とする照明器具。
【請求項２】
前記ＬＥＤモジュールを矩形状とし、
前記ＬＥＤモジュールの両端部を、前記両端部の方向にスライド移動するそれぞれの前記基板固定部により、固定または解放することを特徴とする請求項１に記載の照明器具。
【請求項３】
前記ＬＥＤモジュールを矩形状とし、
前記ＬＥＤモジュールの両端部のそれぞれの両方の側端部を、前記両方の側端部方向にスライド移動するそれぞれの前記基板固定部により、固定または解放することを特徴とする請求項１に記載の照明器具。
【請求項４】
前記基板固定部に凸部または凹部を設け、また、前記基板固定部がスライド移動する前記基板固定部載置部に前記基板固定部の凸部または凹部に対応する凹部または凸部を前記基板固定部のスライド移動方向に直列に２個設け、前記基板固定部がスライド移動するとき固定及び解放の位置決めをすることを特徴とする請求項１から請求項３のいずれかの請求項に記載の照明器具。
【発明の詳細な説明】
【技術分野】
【０００１】
本発明は、ＬＥＤモジュールを搭載した照明器具に関するものである。
【背景技術】
【０００２】
ＬＥＤモジュールを搭載した照明器具としては、給電端子部を有してＬＥＤ素子を搭載したＬＥＤモジュールと、このＬＥＤモジュールを着脱自在に保持するモジュール保持部材を有し給電端子部に接続する接続部をモジュール保持部材に設けた器具本体とを備え、モジュール保持部材は、引掛けスワン型式でＬＥＤモジュールを保持するものがある。（例えば、特許文献１参照。）。
【０００３】
【特許文献１】特開２００３−６８１２９号公報（第２頁、第３頁、図１〜図６）
【発明の開示】
【発明が解決しようとする課題】
【０００４】
特許文献１の照明器具は、ＬＥＤモジュールを着脱自在に保持するとしているが、ＬＥＤモジュールは、円形板状であり、この円形板状のＬＥＤモジュールを回動して着脱するものである。そこで、ＬＥＤモジュールが矩形状のＬＥＤモジュールの場合には、この着脱方法では着脱自在に保持することはできない。
【０００５】
本発明は、上記のような課題を解決するためになされたもので、矩形状のＬＥＤモジュールをはじめ各形状のＬＥＤモジュールを着脱自在に保持できる照明器具を得ることを目的とする。
また、安定して保持できる照明器具を得ることを目的とする。
また、矩形状のＬＥＤモジュールを複数設ける場合、配列方向に余分なスペースを生じない照明器具を得ることを目的とする。
【課題を解決するための手段】
【０００６】
本発明に係るＬＥＤモジュールを搭載した照明器具は、基板にＬＥＤ素子を実装したＬＥＤモジュールと、照明器具本体に設けられたＬＥＤモジュールの載置部と、照明器具本体に設けられ、ＬＥＤモジュールの載置部に載置されたＬＥＤモジュールの基板の端部を、スライド移動し覆うことにより固定しまたスライド移動し解放する基板固定部と、照明器具本体に設けられ、基板固定部をスライド移動可能に保持する基板固定部載置部とを備えたものである。
【発明の効果】
【０００７】
本発明に係るＬＥＤモジュールを搭載した照明器具は、ＬＥＤモジュールの載置部に載置されたＬＥＤモジュールの基板の端部を、スライド移動し覆うことにより固定しまたスライド移動し解放する基板固定部を備えたので、矩形状のＬＥＤモジュールをはじめ各形状のＬＥＤモジュールを着脱自在に保持できる照明器具を得ることができる。
【発明を実施するための最良の形態】
【０００８】
実施の形態１．
図１は、実施の形態１の照明器具の要部を示す分解斜視図であり、図２は、同じく照明器具の平面図であり、図３は、図２の照明器具のＡ−Ａ線断面図であり、図３（ａ）は、その全体を示し、図３（ｂ）は、その要部を示す。また、図４は、実施の形態１の照明器具のＬＥＤモジュールを着脱自在に保持する接続器を構成する接続器本体と接続部の関係を説明する斜視図である。
これらの図に示すように、本照明器具は、照明器具本体１と、照明器具本体１に設置され、接続部７付きの接続器本体５からなる接続器と、接続器に設置、固定されるＬＥＤモジュールとを有している。
【０００９】
照明器具本体１は、一面が開口した深さの浅い略箱体のもの（図１では、ＬＥＤモジュールの形状に合わせて長形の箱体のもの）であり、図示していないが器具本体１の上部または側部に点灯装置を有している。
この照明器具本体１の箱体の長手方向の端部の箱体底面に接続部７を取付けた接続器本体５が、後述の基板嵌入部５ａ及び接続部スライド部５ｂが外側となるように接着剤、ねじ等で取付け、固定される。
【００１０】
接続器本体５は、全体的に矩形状の板状体であり、その一面に矩形状のＬＥＤモジュール３の基板３ａの端部を嵌入するＬＥＤモジュールの載置部である基板嵌入部５ａ及び基板固定部である接続部７がスライド移動する接続部スライド部５ｂが形成されている。また、電源線９が接続され、後述の接続部７の鍔部７ｂに形成した接触片７ｄに接触する接続器本体５の導通部に給電する。
基板嵌入部５ａは、嵌入するＬＥＤモジュール３の基板３ａの基板厚さ、基板幅等の寸法に合わせた凹部であり、この凹部の開口した一方側からＬＥＤモジュール３の基板３ａの端部が嵌入される。また、接続部スライド部５ｂは、基板嵌入部５ａの他方側に基板３ａの嵌入方向と直交方向に延設された凹部であり、この凹部の両側部には後述の接続部７の鍔部７ｂを嵌入する溝部５ｃが形成され、また、接続部スライド部５ｂの凹部の底面には円形凹部５ｄが接続部７のスライド移動方向に直列に２個、スライド移動方向のそれぞれの端部側に形成されている。ここで、溝部５ｃを備えた接続部スライド部５ｂが基板固定部である接続部７をスライド移動可能に保持する基板固定部載置部に該当する。
接続部７は、略板状体であり、両側から鍔部７ｂが突設し、この鍔部７ｂが突設している面に接続部スライド部５ｂの円形凹部５ｄに対応する円形凸部７ａ及びＬＥＤモジュール３の給電端子部３ｃに対応する板バネ状の接触片７ｃが形成されている。また、鍔部７ｂには、接続器本体５の導通部に対応する接触片７ｄが形成されている。接続部７は、両鍔部７ｂを接続器本体５の接続部スライド部５ｂの両溝部５ｃに嵌入し、スライド移動する。
ＬＥＤモジュール３は、長形の基板上にＬＥＤ素子３ｂを実装し、長手方向の端部にパターン化された給電端子部３ｃを設け全体的に矩形状のものである。
【００１１】
照明器具の組立は、次のように行う。
照明器具本体１の長手方向の端部の底面に接続器本体５を基板嵌入部５ａ及び接続部スライド部５ｂが外側となるように、また、基板嵌入部５ａにＬＥＤモジュール３の基板３ａが嵌入できるように接着又はねじ止めにより固定する。もう一方の照明器具本体１の端部にも同様に接続器本体５を固定する。
次に、接続器本体５の接続部スライド部５ｂの両端側に、それぞれ接続部７をその鍔部７ｂを溝部５ｃに嵌入して取付ける。その際、接続部７は、その円形凸部７ａが円形凹部５ｄと嵌合できるように、円形凸部７ａ側が円形凹部５ｄ側と対向するように取付ける。もう一方の照明器具本体１の端部も同様である。
次に、両接続部７を接続器本体５の接続部スライド部５ｂの両端部側にスライド移動し、接続器本体５の基板嵌入部５ａを塞がないようにする。この際、端部側にスライド移動した接続部７は、その円形凸部７ａが接続部スライド部５ｂの２個の円形凹部５ｄのうちより端部側の円形凹部５ｄに嵌合することにより適正な位置決めがなされる。もう一方の照明器具本体１の端部も同様である。
【００１２】
次に、ＬＥＤモジュール３を両方の接続部７の基板嵌入部５ａに嵌入し、それぞれ両接続部７を中央側にスライド移動させ、基板３ａの端部を覆うことによりＬＥＤモジュール３を接続器本体５に固定する。この際、接続部７の円形凸部７ａは、２個の円形凹部５ｄのうちより中央部側の円形凹部５ｄに嵌合することにより適正な位置決めがなされるとともに、接続部７が接続部スライド部５ｂの端部側にスライド移動し、ＬＥＤモジュール３が外れることがなく、安定に固定される。また、電源線９に電気的に接続する接続器本体５の導通部が接続部７の接触片７ｄと電気的に接続し、さらに、接触片７ｄに電気的に接続した接触片７ｃがＬＥＤモジュール３の基板３ａの給電端子部３ｃと電気的に接続し、ＬＥＤ素子３ｂに給電可能とする。
ＬＥＤモジュール３のもう一方の端部のＬＥＤ素子３ｂへの給電は行わなくてもよい。即ち、一方の端部からのみ給電するようにしても、また、両方に分け、両方の接続器本体５から行うようにしてもよい。
【００１３】
ＬＥＤ素子３ｂが寿命等で交換する場合は、ＬＥＤモジュール３ごと交換する。
ＬＥＤモジュール３を取外す場合は、両接続部７を端部側に円形凸部７ａがより端部側の円形凹部５ｄに嵌合する位置までスライド移動し、もう一方側も同様に行い、ＬＥＤモジュール３を取外す。
このように、本照明器具においては、ＬＥＤモジュール３の交換が接続部７をスライド移動するだけで行えるので容易に可能である。また、ＬＥＤモジュール３及び接続部７に突起部がないので、薄型が可能である。さらに、通電する接触片７ｃ、給電端子部３ｃが、外部に露出しないので、感電の危険がない。
【００１４】
接続部７に円形凸部７ａを設け、接続器本体５の接続部スライド部５ｂにこれに対応する円形凹部５ｄを設けているが、凹凸は逆でもよい。
ＬＥＤモジュール３を矩形状のもので説明したが、本着脱方式によれば、矩形状に限らず、例えば、円形、楕円形その他種々の形状のものに適用可能である。また、矩形状の場合は、両端の二箇所にＬＥＤモジュール３を固定する接続部７を設けたが、例えば、円形の場合等に三箇所以上設けるようにしてもよい。
【００１５】
本実施の形態の照明器具においては、矩形状のＬＥＤモジュール３の両端部のそれぞれの両方の側端部を、両方の側端部方向にスライド移動するそれぞれの基板固定部である接続部７により、固定または解放するので、ＬＥＤモジュール３を、ＬＥＤモジュール３の両端部の方向に複数配列するとき、ＬＥＤモジュール３間に間隔を設けずに配列できる。
【００１６】
また、本実施の形態の照明器具は、基板固定部である接続部７に凸部である円形凸部７ａまたは凹部である円形凹部７ａを設け、また、基板固定部である接続部７がスライド移動する基板固定部載置部である接続部スライド部５ｂに基板固定部である接続部７の凸部である円形凸部７ａまたは凹部である円形凹部７ａに対応する凹部である円形凹部５ｄまたは凸部である円形凸部５ｄを基板固定部である接続部７のスライド移動方向に直列に２個設け、基板固定部がスライド移動するとき固定及び解放の位置決めをするので、スライド移動時の位置決めが可能であり、また、ＬＥＤモジュール３の固定時には安定して保持できる。
【００１７】
実施の形態２．
図５は、実施の形態２の照明器具の要部を示す平面図である。
本照明器具のＬＥＤモジュール３の取付けにおいては、ＬＥＤモジュール３の端部を固定するのに、実施の形態１では接続部７を２個設けていたが、本実施の形態では１個で行い、また、接続部７のスライド移動方向を両接続器本体５を結ぶ方向と同じとする。
ＬＥＤモジュール３の取付け時には、図５（ａ）に示すように、接続部７を照明器具本体１の端部側にスライド移動し、基板嵌入部５ａを接続部７が覆うことがないようにし、ＬＥＤモジュール３を基板嵌入部５ａに嵌入し、次いで、接続部７をＬＥＤモジュール３側にスライド移動し、基板３ａの端部を接続部７が覆うことにより、固定する。接続部７のスライド移動は、円形凸部７ａが２個の円形凹部５ｄに嵌合することにより位置決めされ、また、ＬＥＤモジュール３の固定時には、位置決めとともに接続部７がスライド移動してＬＥＤモジュール３が外れないように安定固定する等実施の形態１と同様である。
その他の構成及び効果等も、実施の形態１と同様である。
【００１８】
本実施の形態の照明器具においては、矩形状のＬＥＤモジュール３の両端部を、両端部の方向にスライド移動するそれぞれの基板固定部である接続部７により、固定または解放するので、両端部の方向と直角方向に複数のＬＥＤモジュール３を配列するとき、ＬＥＤモジュール３間に余分なスペースを設けずに配列することができる。
【図面の簡単な説明】
【００１９】
【図１】本発明の実施の形態１の照明器具を示す分解斜視図である。
【図２】本発明の実施の形態１の照明器具の平面図である。
【図３】図２の照明器具のＡ−Ａ線断面図である。
【図４】本発明の実施の形態１の照明器具のＬＥＤモジュールを接続する接続器を構成する接続器本体と接続部の関係を説明する斜視図である。
【図５】本発明の実施の形態２の照明器具の平面図である。
【符号の説明】
【００２０】
１  照明器具本体、３  ＬＥＤモジュール、３ａ  基板、３ｂ  ＬＥＤ素子、５ａ  ＬＥＤモジュールの載置部、５ｂ  基板固定部載置部、５ｄ  基板固定部載置部の凹部（凸部）、７  基板固定部、７ａ  基板固定部の凸部（凹部）。
【図１】
2006286310.tif 000003
【図２】
2006286310.tif 000004
【図３】
2006286310.tif 000005
【図４】
2006286310.tif 000006
【図５】
2006286310.tif 000007